(57)【特許請求の範囲】
【請求項１】
間仕切り基礎を跨ぐようにして間仕切り基礎の上部に嵌装されるとともに付勢状態で間仕切り基礎を抱持しうる基礎抱持部と、この基礎抱持部の上面に設けられた大引支持部とから構成され、大引支持部は、間仕切り基礎の延設方向に沿って架設される鋼製大引の側面を挟持しうるように鋼製大引の外形幅に相当する間隔を設けて相対して配置され、それぞれにビス孔が形成された二対４枚の延設方向直立片と、間仕切り基礎の延設方向に直交して架設される鋼製大引の側面を挟持しうるように鋼製大引の外形幅に相当する間隔を設けて相対して配置され、それぞれにビス孔が形成された二対４枚の直交方向直立片と、からなることを特徴とする大引支持金具。
【請求項２】
大引支持部の延設方向直立片と直交方向直立片とが、互いに１枚ずつ平面視Ｌ字型に連続して形成されたことを特徴とする請求項１に記載の大引支持金具。
【発明の詳細な説明】
【０００１】
【発明の属する技術分野】
本発明は、鋼製大引を建物の間仕切り基礎の天端上に支持するために使用される大引支持金具に関する。
【０００２】
【従来の技術】
一般に、住宅その他の建物の床組構造は、コンクリート基礎上に土台を固定し、この土台に直接もしくは大引受け部材を介して複数本の大引を間隔をおいて載架し、これら大引上に、大引と直交する根太を載架してその上に床板を敷設することにより構成されている。そして、近年、この大引には木製でなく鋼製の大引が用いられ、これにより床組構造の強度や耐久性を高めることが図られるようになってきている。
【０００３】
この鋼製大引は、通常、断面が略長方形または略正方形などの角形鋼管からなり、鋼板用ビスや専用の連結金具などを用いて接合・固定されている。
【０００４】
【発明が解決しようとする課題】
しかしながら、鋼製大引は、木製大引に比べると部材重量が大きく、部材を現場で加工するのも困難なため、各部材との接合部を正確に位置決めして固定するのに手間がかかり、従来よりその施工性の改善が望まれていた。
【０００５】
また、鋼製大引は、予定される床荷重の大きさに応じて種々の断面形状のものが採用されるが、床荷重の大きい箇所においては当然、その断面寸法や鋼板の板厚が大きくなり、部材コストも上昇することとなる。
【０００６】
そこで、本発明者らは、強度および経済性に優れる鋼製大引として、図９および図１０に示すような鋼製大引１を開発した。この鋼製大引１は、断面略長方形の角管状に折曲され、その底面１１の中央にて縁端同士がかしめ継合された防錆処理鋼板１０からなるもので、両側面１２の上部および下部にはそれぞれ材長方向に連続する凹部１５が上下２列に平行して形成されるとともに、前記上下２列の凹部１５の間には縦方向に長い溝状リブ１６が一定間隔で形成され、また、上面１３の中央には材長方向に連続する凹溝１７が形成されている。
【０００７】
そのため、この鋼製大引１は、耐久性に優れ、またその加工成形も容易であるとともに、両側面１２に設けられた上下２箇所の凹部１５および溝状リブ１６により剛性が強化され、従来の鋼製大引に比べて相対的に小さい断面寸法や板厚でも従来と同等またはそれ以上の強度的性能を発揮することができる。したがって鋼製大引を形成するための鋼材量が少なくて済み、部材コストを低減させることもできる。
【０００８】
本発明は、このような鋼製大引１を建物の内側部分に設けられる間仕切り基礎上に架設する際に使用される施工性に優れた大引支持金具を提供し、もって鋼製大引１の架設作業の効率化と施工精度の向上を図ることを目的としている。
【００１２】
【課題を解決するための手段】
本発明の請求項１に記載の大引支持金具は、間仕切り基礎を跨ぐようにして間仕切り基礎の上部に嵌装されるとともに付勢状態で間仕切り基礎を抱持しうる基礎抱持部と、この基礎抱持部の上面に設けられた大引支持部とから構成され、大引支持部は、間仕切り基礎の延設方向に沿って架設される鋼製大引の側面を挟持しうるように鋼製大引の外形幅に相当する間隔を設けて相対して配置され、それぞれにビス孔が形成された二対４枚の延設方向直立片と、間仕切り基礎の延設方向に直交して架設される鋼製大引の側面を挟持しうるように鋼製大引の外形幅に相当する間隔を設けて相対して配置され、それぞれにビス孔が形成された二対４枚の直交方向直立片と、からなることを特徴としている。
【００１３】
すなわち、この大引支持金具は、基礎抱持部を間仕切り基礎の上部に嵌挿させることによって簡単かつ確実に間仕切り基礎に取り付けられるようになされたものである。そして、基礎抱持部の上面には二対４枚の延設方向直立片および二対４枚の直交方向直立片が設けられ、これら各直立片はそれぞれ鋼製大引の外形幅に相当する間隔を設けて相対して配置されることにより、鋼製大引の側面を挟持しうるようになされている。また、これら延設方向直立片および直交方向直立片によって、鋼製大引を間仕切り基礎の延設方向にも、あるいはこれに直交する方向にも架設できるようになされている。
【００１４】
さらに、請求項２に記載の大引支持金具は、前記大引支持部の延設方向直立片と直交方向直立片とが、互いに１枚ずつ平面視Ｌ字型に連続して形成されたことを特徴としている。
【００１５】
これは、前記大引支持金具を、一枚の鋼板等を切り込み折曲して、容易にかつ強固に製作することができるようにしたものである。
【００１６】
【発明の実施の形態】
以下、本発明の実施の形態を、図面を参照しつつ説明する。
【００１７】
図１は、前記鋼製大引１を用いて施工された鋼製大引の架設構造の概略断面を示し、また、図２は同じ鋼製大引の架設構造を別の側面から見た概略断面を示している。
【００１８】
この鋼製大引の架設構造においては、鋼製大引１を支持するために、外周基礎Ｋ１に取り付けられた大引受け金具２Ａ、土間Ｄ上に立設された鋼製束２Ｂ、および間仕切り基礎Ｋ２上に取り付けられた大引支持金具９が使用されている。そして、これら大引受け金具２Ａ、鋼製束２Ｂ、および大引支持金具９の上に、鋼製大引１が同一水平面上に架設されている。
【００１９】
大引受け金具２Ａは、図３および図４に示すように、外周基礎Ｋ１の内側の側面に取り付けられたブラケット部３と、このブラケット部３上に水平回動自在に取り付けられた大引受け部４とから構成されている。
【００２０】
ブラケット部３は、中央下部に傾斜して設けられた基板部３１の前端に立ち上げられた側面視逆Ｌ字型の支持片３２と、この支持片３２の左右両側に相対して設けられた側面視略三角形の一対の補強片３３と、各補強片３３の上部からそれぞれ左右両側に張り出した一対の水平片３４と、各補強片３３の後方側の側縁部からそれぞれ左右両側に張り出した一対の垂直片３５とを備えている。
【００２１】
一対の垂直片３５は左右同一平面をなすように形成され、それぞれに縦長の長孔３６が形成されている。さらに長孔３６の周囲の表面には、複数本の水平な細溝３７が断面略鋸歯状に刻設されている。そして、外周基礎Ｋ１の内側の側面に凹部を設けて埋設された略Ｌ字型の取付ボルトＢを長孔３６内に挿通させた状態で該凹部にあてがわれ、取付ボルトＢに略矩形の座金５およびバネ座金６を嵌装させてナット７を締結することにより、外周基礎Ｋ１に対して高さ調節自在に取り付けられている。座金５には、垂直片３５の細溝３７に係合可能な係止爪５３が形成され、垂直片３５の高さ調整をしやすくなされるとともに、取付ボルトＢにナット７が締結されたときにこの係止爪５３が垂直片３５の細溝３７に噛み合い、ブラケット部３が容易にずり落ちないようになされている。
【００２２】
支持片３２の上部には、リベット４５を介して大引受け部４の底板４１が接合され、水平片３４上に水平回動自在に支持されている。
【００２３】
この大引受け部４は、平面視略矩形の底板４１とこの底板４１の一対の対辺からそれぞれ上方に立ち上げられた２枚の起立板４２とによって、略溝形の形状に形成されている。
【００２４】
底板４１の中央部には、前記リベット４５の頭部をかしめるための皿状の凹部４３が形成されている。底板４１の上面にはゴムパッキンなどの緩衝材４６が貼設され、鋼製大引１を緩衝しつつ支持しうるようになされている。
【００２５】
起立板４２は、鋼製大引１の外形幅に相当する間隔を設けて２枚平行に立ち上げられるとともに、その上縁部が対向間隔を拡幅するようにそれぞれやや外側に傾斜して、鋼製大引１を受け入れやすくなされている。また、各起立板４２には、側面視略凹字形の切り込み４７がそれぞれ２箇所ずつ設けられて下方に垂下する小片が形成され、この小片がそれぞれ内側方向にやや湾曲するように押し出されて大引係合爪４８となされている。また、この大引係合爪４８の上部付近には、起立板４２の外側から鋼製大引１をビス止めするためのビス孔４９が設けられている。
【００２６】
一方、鋼製束２Ｂは、図５に示すように、土間Ｄ上に接地して立設される脚部８と、この脚部８上に固定された前記と同様の大引受け部４とから構成されている。
【００２７】
脚部８は、上部および下部にそれぞれ逆ネジの形成されたターンバックル８１により上下方向に伸縮しうる軸部８２と、この軸部８２の下端に溶着された接地板８３とからなり、ターンバックル８１の上下には、それぞれ回り止めナット８４が螺合されている。これにより、ターンバックル８１を左右に回動させて軸部８２の上端の高さを無段階に調節することができるとともに、回り止めナット８４を締結してその高さを確実に固定することができるようになされている。
【００２８】
そして大引受け部４は、その底部４１に形成された皿状の凹部４３に軸部８２の頂部が挿入され、該頂部を該凹部４３内でかしめることにより軸部８２上に固定されている。
【００２９】
鋼製大引１は、こうして大引受け金具２Ａおよび鋼製束２Ｂにそれぞれ設けられた大引受け部４の底板４１上に、緩衝材４６を介して支承されるとともに、両起立板４２に軽く接して３方向から抱持される。さらに、鋼製大引１の両側面１２の下部に形成された凹部１５には、起立板４２の大引係合爪４８が４箇所で係合する。大引係合爪４８は下方に垂下してやや湾曲した小片であり、それ自体に弾力性があるため、鋼製大引１を大引受け部４に嵌合させるには上方から強めに押し込むだけでよい。また、一旦嵌合されれば、鋼製大引１の凹部１５に係合した大引係合爪４８が鋼製大引１の抜け出しを防ぎ、鋼製大引１が大引受け部４上で上下左右に遊んだりすることもない。このように、この大引受け部４を用いることによって鋼製大引１を簡単にかつ確実に支持することができる。
【００３０】
また、外周基礎Ｋ１に取り付けられた大引受け金具２Ａは、大引受け部４がブラケット部３上で回動自在となされているため、鋼製大引１の支持方向を外周基礎Ｋ１の延設方向にも直交方向にも向けることができる。したがって、この一種類の大引受け金具２Ａのみによって、建物の外周基礎Ｋ１の全周にわたって鋼製大引１を架設し、支持することができる。
【００３１】
さらに、大引受け金具２Ａおよび鋼製束２Ｂは、それぞれ前記のように高さ調節可能であるため、外周基礎Ｋ１や土間Ｄなどの施工精度に多少ばらつきがあっても、大引受け部４の設置高さを適宜調整して鋼製大引１を精度よく水平に架設することができる。
【００３２】
さらに鋼製大引１は、間仕切り基礎Ｋ２上において、この間仕切り基礎Ｋ２に取り付けられた大引支持金具９によっても支持されている。この間仕切り基礎Ｋ２は、前記のようにして大引受け金具２Ａおよび鋼製束２Ｂに支持された鋼製大引１をそのまま水平に同じ高さで連続して架設させることができるよう、あらかじめ外周基礎Ｋ１よりも天端を低くして設けられている。
【００３３】
そのため、鋼製大引１を短くカットせずとも長尺のままで間仕切り基礎Ｋ２上に架設することが可能になり、これにより床組全体の強度が安定的に得られるとともに、鋼製大引１同士あるいは鋼製大引１と他部材などとの接合箇所数が少なくなって床組全体の施工効率が向上する。
【００３４】
以下に、間仕切り基礎Ｋ２上に取り付けられる大引支持金具９について、図６ないし図８を参照しつつ説明する。
【００３５】
この大引支持金具９は、１枚の鋼板を切り込み折曲することにより形成されたもので、間仕切り基礎Ｋ２を跨ぐようにして間仕切り基礎Ｋ２の上部に嵌装される基礎抱持部９１と、その上面に設けられた大引支持部９２とから構成されている。
【００３６】
基礎抱持部９１は、間隔を開けて並置された２枚の水平片９３と、これら２枚の水平片９３の一対の対辺からそれぞれ垂下しつつ２枚の水平片９３を連結する一対の垂下片９４により形成されている。水平片９３の長さは間仕切り基礎Ｋ２の幅よりもやや長く形成され、各水平片９３の両端部付近にはそれぞれ水平片９３の長さ方向に延びる長孔９５が設けられている。また、垂下片９４は、その下方ほど互いの対向間隔を狭くするようにそれぞれ内側に湾曲されて、間仕切り基礎Ｋ２をその両側から付勢状態で挟持しうるようになされるとともに、下縁が外側に折り返されて間仕切り基礎Ｋ２に嵌挿しやすくなされている。
【００３７】
大引支持部９２は、基礎抱持部９１の水平片９３の上面に直立するように設けられた二対４枚の延設方向直立片９６ｘおよび二対４枚の直交方向直立片９６ｙからなり、これら延設方向直立片９６ｘおよび直交方向直立片９６ｙは前記基礎抱持部９１を構成する鋼板の中央部分を切り込んで立て起こすことにより基礎抱持部９１に連続して形成されている。
【００３８】
直交方向直立片９６ｙは、水平片９３の縁部から上方に立ち上げられて間仕切り基礎Ｋ２の延設方向に直交するように設けられ、鋼製大引１の外形幅に相当する間隔を設けて対向する２枚を一対として配置されている。二対の直交方向直立片９６ｙは、前記垂下片９４の幅寸法によって定まる大引支持金具９の長さ方向の中心軸Ｃｙに、対向間隔の中心を揃えて配置されている。
【００３９】
一方、延設方向直立片９６ｘは、前記直交方向直立片９６ｙの各々から平面視Ｌ字型に連続するように延設されて間仕切り基礎Ｋ２の延設方向に沿うように設けられ、直交方向直立片９６ｙと同様に、鋼製大引１の外形幅に相当する間隔を設けて対向する２枚を一対として配置されている。二対の延設方向直立片９６ｘは、前記垂下片９４の幅寸法によって定まる大引支持金具９の幅方向の中心軸Ｎｙに、対向間隔の中心を揃えて配置されている。
【００４０】
また、各直交方向直立片９６ｙおよび各延設方向直立片９６ｘには、上部付近にそれぞれ２カ所ずつビス孔９７が形成されている。
【００４１】
この大引支持金具９は、間仕切り基礎Ｋ２の上部に基礎抱持部９１を嵌挿させて取り付けられる。この際、必要に応じて接着剤を塗布するか、あるいはコンクリート用ビス等を水平片９３に設けられた長孔９５に打ち込むことにより間仕切り基礎Ｋ２に固定される。
【００４２】
そして、鋼製大引１を間仕切り基礎Ｋ２の延設方向に沿って架設する場合には、図６に示すように、対向する二対４枚の延設方向直立片９６ｘの間に鋼製大引１を嵌め込む。また、鋼製大引１を間仕切り基礎Ｋ２の延設方向に直交させて架設する場合には、図７に示すように、対向する二対４枚の直交方向直立片９６ｙの間に鋼製大引１を嵌め込む。このように、鋼製大引１を間仕切り基礎Ｋ２の延設方向にも直交方向にも架設することができるので、間仕切り基礎Ｋ２上の鋼製大引１の架設作業を１種類の大引支持金具９によって行うことができる。
【００４３】
鋼製大引１を直交方向直立片９６ｙまたは延設方向直立片９６ｘの間に嵌め込む際には、鋼製大引１を間仕切り基礎Ｋ２の天端から若干浮かせて架設し、直交方向直立片９６ｙまたは延設方向直立片９６ｘに設けられたビス孔９７からタッピングビスＶ等を鋼製大引１の側面１２に打ち込んで鋼製大引１を固定する。これにより、間仕切り基礎Ｋ２の天端の不陸を吸収して鋼製大引１を水平に精度よく架設することができる。このとき、鋼製大引１にかかる床荷重はタッピングビスＶの剪断応力によって支持されることとなるが、鋼製大引１の側面１２には両側から合計８本のタッピングビスＶを打ち込むことができるので、強度的には十分対応可能である。
【００４４】
なお、図示した大引支持金具９は、基礎抱持部９１の各水平片９３の外縁部にはその長さ方向の中央を示す小さい切り込み９８ｘが設けられ、また各垂下片９４の上縁部にはその幅方向の中央を示す小さい切り込み９８ｙが設けられている。これらの切り込み９８ｘ，９８ｙは、鋼製大引１の架設位置を示すために間仕切り基礎Ｋ２の天端に墨打ちされる鋼製大引１の中心線などに対して、この大引支持金具９を正確に合わせて配置するためのセンターマークとして利用することができる。
【００４５】
以上のようにして架設固定された鋼製大引１の上には、木製または鋼製の根太Ｎが、鋼製大引１と直交して一定間隔で配設され、鋼製大引１に固定される。さらに、根太Ｎの上に、断熱材や床下地材などを介して床板Ｙが敷設される。また、これら根太Ｎや床板Ｙ等に替えて、あらかじめ枠組形成されたユニット状の床パネルを鋼製大引１上に敷設することにより床組を構成することも可能である。
【００４６】
このように、鋼製大引１と互いに適合するように規格化された大引受け金具２Ａ、鋼製束２Ｂおよび大引支持金具９を使用することによって、鋼製大引１を架設して各接合部に接合する作業を簡単にかつ確実に行うことができる。そのため、熟練技術者によらずとも効率的に精度よく作業を行うことができ、床組の施工強度が確実に確保される。また、床組施工の工期も大幅に短縮され、工費も削減される。
【００４７】
さらに、前記のような構成にかかる大引支持金具９は、一枚の鋼板を切り込み折曲して形成することができる。したがって、溶接などの面倒な加工を必要とせず、安価に製作することが可能である。
【００４８】
【発明の効果】
本発明の大引支持金具を用いることにより、鋼製大引を間仕切り基礎上に簡単に架設することができ、また、１種類の大引支持金具によって鋼製大引を間仕切り基礎の延設方向にも直交方向にも架設することができる。こうして鋼製大引の架設作業を効率的にかつ精度よく実施することができ、施工性を向上させることができる。
【図面の簡単な説明】
【図１】本発明の鋼製大引の架設構造の実施の形態を示す側面図である。
【図２】前記鋼製大引の架設構造を図１に直交する側面から見た側面図である。
【図３】大引受け金具の実施の形態を示す側面図である。
【図４】大引受け金具の実施の形態を示す正面図である。
【図５】鋼製束の実施の形態を示す側面図である。
【図６】本発明の大引支持金具の実施の形態を示す、間仕切り基礎の延設方向から見た側面図である。
【図７】同じく、間仕切り基礎の延設方向に直交する方向から見た側面図である。
【図８】本発明の大引支持金具の実施の形態を示す上面図である。
【図９】鋼製大引の断面図である。
【図１０】鋼製大引の側面図である。
【符号の説明】
１  鋼製大引
１２  側面
１５  凹部
２Ａ  大引受け金具
２Ｂ  鋼製束
４  大引受け部
４８  大引係合爪
９  大引支持金具
９１  基礎抱持部
９２  大引支持部
９６ｘ  延設方向直立片
９６ｙ  直交方向直立片
９７  ビス孔
Ｄ  土間
Ｋ１  外周基礎
Ｋ２  間仕切り基礎
【図１】
0003673089.tif 000002
【図２】
0003673089.tif 000003
【図３】
0003673089.tif 000004
【図４】
0003673089.tif 000005
【図５】
0003673089.tif 000006
【図６】
0003673089.tif 000007
【図７】
0003673089.tif 000008
【図８】
0003673089.tif 000009
【図９】
0003673089.tif 000010
【図１０】
0003673089.tif 000011